(57)【要約】      （修正有）【課題】選別装置に取付けた駆動源と摺動機構を塩害から予防して選別台の揺動をスムースに行うことで選別効効率の向上が図れる養殖貝の選別装置の提供。【解決手段】長手方向を傾斜させた基枠２の上方に設けた支持枠部５の中央にモータ６を位置させ、該モータ６の駆動軸に軸着した一対の駆動輪８とからなる第１駆動源Ｔａと、前記支持枠部５の両側に軸支した伝動軸の両端に設けた大径な作動円盤の端面の偏心位置に取付けた偏心軸２３に軸支した揺動板２５とからなる第１揺動機構Ｓａと、該揺動機構の揺動板２５と養殖貝Ｈを選別する選別台１０の側面左右両側に設けた保持板１７とを着脱可能に連結して懸架してなり、駆動源Ｔａの駆動力を第１揺動機構Ｓａに伝動手段Ｕを介して伝達し、該第１揺動機構の偏心軸２３による偏心回転により、揺動板２５を介して選別台１０を揺動運動させることにより選別台１０上の養殖貝Ｈを選別することを特徴とする。【選択図】図２
2018126077.tif 000002
【特許請求の範囲】
【請求項１】
基枠２の上方に設けた支持枠部５に取付けた第１駆動源Ｔａ、または第２駆動源Ｔｂと、
前記支持枠部５の左右両側に回転可能に軸支した一対の伝動軸２０に取付けた第１揺動機構Ｓａ、または第２揺動機構Ｓｂと、
養殖貝Ｈを選別する少なくとも１以上の篩板１３を取付けた選別台１０とからなり、
前記第１揺動機構Ｓａ、または第２揺動機構Ｓｂの下方に懸架した選別台１０を、前記第１駆動源Ｔａ、または第２駆動源Ｔｂから伝動軸２０を介して伝達した回転力を第１揺動機構Ｓａ、または第２揺動機構Ｓｂにより偏心回転に変換させることにより前記選別台１０を揺動させて養殖貝Ｈを選別可能にしてなることを特徴とする養殖貝の選別装置。
【請求項２】
前記第１駆動源Ｔａは、前記支持枠部５の中央に位置したモータ６と駆動軸７と減速機９と、該モータの駆動軸７に軸着した一対の駆動輪８とからなり、該駆動輪と前記一対の伝動軸２０に取付けた作動輪２１との間に伝動手段Ｕを介して回転力を前記伝動軸２０の両端に取付けた第１揺動機構Ｓａに伝達し、該第１揺動機構による偏心回転で前記選別台１０を揺動可能にしてなることを特徴とする請求項１記載の養殖貝の選別装置。
【請求項３】
前記第２駆動源Ｔｂは、前記支持枠部５の左右両側で並行に軸支した一対の伝動軸２０の一端にそれぞれ連結した一対のモータ６と駆動軸７と減速機９とからなり、前記第２駆動源Ｔｂの回転力を伝動軸２０を介して両端に取付けた第２揺動機構Ｓｂに伝達して偏心回転に変換させ、前記選別台１０を揺動可能にしてなることを特徴とする請求項１記載の養殖貝の選別装置。
【請求項４】
前記第１揺動機構Ｓａは、一対の伝動軸２０の両端にそれぞれ軸着した大径な作動円盤２２と、該作動円盤の軸心と偏心位置にそれぞれ設けた偏心軸２３と、該偏心軸にそれぞれ枢動可能に軸支した揺動板２５とからなり、前記各揺動板２５と前記選別台１０の長手方向左右両側に取付けた各保持板１７とを連結して懸架してなることを特徴とする請求項１記載の養殖貝の選別装置。
【請求項５】
前記第２揺動機構Ｓｂは、前記支持枠部５の左右両側で並行に軸支した一対の伝動軸２０の両端を、大径な偏心円盤５１の軸心方向から偏心させた位置に設けた軸支部５２に軸着し、前記偏心円盤５１の外周面に回動可能に揺動板５５を取付けてなり、前記第２揺動機構Ｓｂの揺動板５５と前記選別台１０に取付けた保持板１７とをそれぞれ連結して選別台１０を第２揺動機構Ｓｂに懸架し、前記伝動軸２０の片側に軸着した偏心円盤５１ａの軸支部５２から一端を延長して設けた突出軸５３と、前記駆動源Ｔｂの駆動軸７とをそれぞれ減速機を介して連結してなることを特徴とする請求項１記載の養殖貝の選別装置。
【請求項６】
前記選別台１０は、全体を入口側から出口側に傾斜させ、長手方向で並行に設けた棚枠部１１の各段に少なくとも１以上の篩板１３を上下方向に位置してなり、この選別台１０の長手方向左右両側にそれぞれ取付けた各保持板１７と、前記第１揺動機構Ｓａの揺動板２５、または、第２揺動機構Ｓｂの揺動板５５とを連結して懸架し、前記第１揺動機構Ｓａ、または、第２揺動機構Ｓｂの偏心運動により選別台１０を水平方向の往復動と上下動からなる揺動運動を可能にしてなることを特徴とする請求項１記載の養殖貝の選別装置。
【請求項７】
前記選別台１０の棚枠部１１の外壁に設けた各保持板１７と、前記第１揺動機構Ｓａまたは第２揺動機構Ｓｂの各揺動板２５、５５との連結は、入口側の第１保持板１７ａと第１揺動板２５ａまたは第２揺動板５５ａとを単数の連結ボルト２９で枢動可能に連結し、出口側の第２保持板１７ｂと第２揺動板２５ｂまたは第２揺動板５５ｂとを複数の連結ボルト２９でそれぞれ連結し、前記第１、２揺動機構Ｓａ、Ｓｂによる水平方向の往復動と上下動からなる揺動運動を連続させることにより、養殖貝Ｈを選別台１０の入口側に落下させて振動させながら出口方向に移動させ、それぞれ第１、２篩板１３、１５に設けた孔１４、１６から養殖貝Ｈの大きさにより選別して排出させることを特徴とする請求項６または７記載の養殖貝の選別装置。
【請求項８】
前記選別台１０は、棚枠部１１の各段に中型以下の貝を落下させる多数の孔１４を有した第１篩板１３と、小型の貝を落下させる多数の孔１６を有した第２篩板１５とを上下二段に位置し、前記棚枠部１１の上方に設けた枠板１２に養殖貝Ｈを載置するホッパー３１を取付けてなることを特徴とする請求項６または７記載の養殖貝の選別装置。
【請求項９】
基枠２の上方に設けた支持枠部５の中央に位置したモータ６と、該モータの駆動軸７に軸着した一対の駆動輪８とからなる第１駆動源Ｔａと、
前記支持枠部５の長手方向の両側に回転可能に軸支した一対の伝動軸２０の両端にそれぞれ軸着した作動円盤２２の軸心と偏心位置にそれぞれ取付けた偏心軸２３と、該偏心軸に揺動板２５をそれぞれ枢動可能に軸支してなる第１揺動機構Ｓａと、
養殖貝Ｈを選別するための孔１４を多数設けた少なくとも１以上の篩板１３を上下方向の多段に位置して入口側から出口側に傾斜させてなる選別台１０とからなり、
前記選別台１０の長手方向左右両側にそれぞれ取付けた各保持板１７と、前記第１揺動機構Ｓａの揺動板２５とを着脱可能に連結して懸架し、前記第１駆動源Ｔａから伝動軸２０を介して伝達した回転力を第１揺動機構Ｓａで偏心運動に変換して選別台１０を水平方向の往復動と上下動からなる揺動運動を可能にして養殖貝Ｈを選別することを特徴とする養殖貝の選別装置。
【請求項１０】
前記選別台１０に設けた各保持板１７と、前記第１揺動機構Ｓａに取付けた各揺動板２５との連結は、入口側の第１保持板１７ａと第１揺動板２５ａとを単数の連結ボルト２９で枢動可能に連結し、出口側の第２保持板１７ｂと第２揺動板２５ｂとは、複数の連結ボルト２９で連結してなることを特徴とする請求項９記載の養殖貝の選別装置。
【請求項１１】
基枠２の上方に設けた支持枠部５の左右両側で並行に軸支した一対の伝動軸２０にそれぞれ連結した一対のモータ６ｂと駆動軸７ｂと減速機９ｂとからなる第２駆動源Ｔｂと、
大径な偏心円盤５１の外周面に揺動板５５を回動可能に取付け、該偏心円盤の軸心方向で偏心位置に設けた軸止部５２に前記伝動軸２０の端部を軸着し、該伝動軸の片側に位置した偏心円盤５１ａの軸止部５２から伝動軸２０の一端を貫通させて突出軸５３を設けてなる第２揺動機構Ｓｂと、
養殖貝Ｈを選別するための孔１４を多数設けた少なくとも１以上の篩板１３を上下方向に位置してなる選別台１０とからなり、
前記第２揺動機構Ｓｂの偏心円盤５１に回動可能に軸支した揺動板５５と、選別台１０の長手方向左右両側に取付けた保持板１７とを連結して懸架し、前記第２駆動源Ｔｂの回転力を第２揺動機構Ｓｂで偏心運動に変化させて選別台１０を水平方向の往復動と上下動からなる揺動運動を可能にしてなることを特徴とする養殖貝の選別装置。
【請求項１２】
前記選別台１０に設けた各保持板１７と、前記２揺動機構Ｓｂに取付けた揺動板５５との連結は、入口側の第１保持板１７ａと第２揺動板５５ａとを単数の連結ボルト２９で枢動可能に連結し、出口側の第２保持板１７ｂと第２揺動板５５ｂとは、複数の連結ボルト２９で連結してなることを特徴とする請求項１１記載の養殖貝の選別装置。
【発明の詳細な説明】
【技術分野】
【０００１】
本発明は帆立貝、牡蠣など、養殖貝の選別装置の改良に関する。
【背景技術】
【０００２】
従来、養殖して生育させた帆立貝や牡蠣などの養殖貝を出荷するため、貝を大中小に分けるための選別作業が行われている。この選別作業は、養殖貝の破損を防止するため手作業で行うのが理想的であるが、作業効率の向上と労力の軽減を図るため機械による選別作業が主流となっている。
【０００３】
従来から使用される養殖貝の選別装置は多種多様であるが、養殖貝を効率的に選別するため、それぞれ内径が相違する多数の孔を設けた篩板を上下に取付けた選別台の入口側を高く出口側を低く傾斜させて位置し、該選別台の上方に養殖貝を収容するホッパーを取付けて形成したものが広く使用されている。
【０００４】
前記選別台は、駆動源からプーリーを介して駆動力を支持腕の一端に偏心させて軸支し、他端を枠体に枢動可能に軸支し、前記プーリーの回転による偏心運動で選別台を揺動させることにより篩板上の養殖貝を移動させながら所定大きさの孔からそれぞれ貝を落下させて選別する選別装置が知られている。
【先行技術文献】
【特許文献】
【０００５】
【特許文献１】特開平８−２５６６２９号
【特許文献２】特開２００３−１１２１２３号
【特許文献３】実公平８−１０４１２号
【０００６】
前記した選別装置は、いずれも駆動源であるモータを選別台の下側に位置し、駆動源からの揺動手段を入口側に設け、出口側を選別装置の枠体に支持して形成してある。したがって、前記選別台の振動は、入口側が強く大きく振動し、出口側は基台に支持されているだけであるため小さく振動する。一方、選別される養殖貝は、大きさ、形状、表面に付着物があるものなど多様であることから、それぞれ養殖貝の摩擦抵抗が相違する。
【０００７】
そのため、選別台上を移動する養殖貝の移動速度が不揃いで一定しないため、養殖貝同士が重なりやすく所定の穴から落ちにくく、貝の選別を効果的に行うことが困難である。また、前記文献に示される選別台は、いずれも揺動させる駆動モータを選別台の下側に取付けてあるため、養殖貝に含まれる海水や養殖貝に付着した泥やごみを除去するために噴射する海水で作業のたびに駆動モータをはじめ伝導手段であるチェーンまたは軸受部などが海水に浸かった塩害により錆びたり腐食するのが早く長持ちしない。
【０００８】
また、前記選別装置は、前記したごとく、選別台の一端と揺動機構とを直接連結し、他端を枠体に支持してあることから選別台の揺動を均一化するために選別台の下側にばねなどを取付けて構造を複雑にしてある。さらには、選別台の揺動により養殖貝が孔に嵌ると、他の養殖貝の移動を邪魔し養殖貝の流れが悪くなり、且つ、多数の選別孔が塞がると小さな貝が選別されずに通過してしまい、選別効率が落ちる原因にもなる。また、孔に嵌まった養殖貝は、振動によりさらに強く嵌ってしまうため取り出し難く、無理に取り出すと養殖貝が欠けたり、割れたりして出荷する貝の歩留まりが悪くなるなどの問題点を有している。
【発明の概要】
【発明が解決しようとする課題】
【０００９】
本発明が解決しようとする課題は、駆動源と揺動機構を基枠の上方に設けて塩害による故障を防止し、また、選別台全体を揺動機構により均一に揺動させることにより、移動する養殖貝の速さを緩やかにして養殖貝が常に水平移動して貝同士の衝突による傷付きを防止し、さらに養殖貝が選別孔に嵌まるのを防止すると共に、養殖貝の流れを良くして選別効率の向上を図り、且つ、選別台を揺動機構に着脱可能に取付けて選別台のメンテナンスを容易にすると共に、選別装置の構造の簡素化と組立工程、組立作業の効率化を図ることを目的とする。
【課題を解決するための手段】
【００１０】
請求項１の発明は、基枠２の上方に設けた支持枠部５に取付けた第１駆動源Ｔａ、または第２駆動源Ｔｂと、前記支持枠部５の左右両側に回転可能に軸支した一対の伝動軸２０に取付けた第１揺動機構Ｓａ、または第２揺動機構Ｓｂと、養殖貝Ｈを選別する少なくとも１以上の篩板１３を取付けた選別台１０とからなり、前記第１揺動機構Ｓａ、または第２揺動機構Ｓｂの下方に懸架した選別台１０を、前記第１駆動源Ｔａ、または第２駆動源Ｔｂから伝動軸２０を介して伝達した回転力を第１揺動機構Ｓａ、または第２揺動機構Ｓｂにより偏心回転に変換させることにより前記選別台１０を揺動させて養殖貝Ｈを選別可能にしてなることを特徴とする。また、前記第１駆動源Ｔａは、前記支持枠部５の中央に位置したモータ６と駆動軸７と減速機９と、該モータの駆動軸７に軸着した一対の駆動輪８とからなり、該駆動輪と前記一対の伝動軸２０に取付けた作動輪２１との間に伝動手段Ｕを介して回転力を前記伝動軸２０に取付けた第１揺動機構Ｓａに伝達し、該第１揺動機構による偏心回転で前記選別台１０を揺動可能にしてなることを特徴とする。さらに、前記第２駆動源Ｔｂは、前記支持枠部５の左右両側で並行に軸支した一対の伝動軸２０の片側にそれぞれ連結した一対のモータ６ｂと駆動軸７ｂと減速機９ｂとからなり、前記第２駆動源Ｔｂの回転力を前記伝動軸２０に取付けた第２揺動機構Ｓｂに伝達して偏心回転に変換させ、前記選別台１０を揺動可能にしてなることを特徴とする。さらにはまた、前記第１揺動機構Ｓａは、一対の伝動軸２０の両端にそれぞれ軸着した大径な作動円盤２２と、該作動円盤の軸心と偏心位置にそれぞれ設けた偏心軸２３と、該偏心軸にそれぞれ枢動可能に軸支した揺動板２５とからなり、前記各揺動板２５と前記選別台１０の長手方向左右両側に取付けた各保持板１７とを連結して懸架してなることを特徴とする。また、前記第２揺動機構Ｓｂは、大径な偏心円盤５１の外周面に揺動板５５を回動可能に軸支し、該偏心円盤の軸心方向から偏心した位置に設けた軸支部５２に前記伝動軸２０の一端を軸着し、該伝動軸の片側一端に設けた偏心円盤５１の軸支部５２から伝動軸２０の一端を貫通させて設けた突出軸５３と、前記駆動源Ｔｂの駆動軸７とをそれぞれ連結してなり、前記第２揺動機構Ｓｂの揺動板５５と前記選別台１０に取付けた保持板１７とをそれぞれ連結して選別台１０を第２揺動機構Ｓｂに懸架してなることを特徴とする。さらに、前記選別台１０は、全体を入口側から出口側に傾斜させ、長手方向で並行に設けた棚枠部１１の各段に少なくとも１以上の篩板１３を上下方向に位置してなり、この選別台１０の長手方向左右両側にそれぞれ取付けた各保持板１７と、前記第１揺動機構Ｓａの揺動板２５、または、第２揺動機構Ｓｂの揺動板５５とを連結して懸架し、前記の第１揺動機構Ｓａ、または、第２揺動機構Ｓｂの偏心運動により選別台１０を水平方向の往復動と上下動からなる揺動運動を可能にしてなることを特徴とする。さらにはまた、選別台１０の棚枠部１１の外壁に設けた各保持板１７と、前記第１揺動機構Ｓａまたは第２揺動機構Ｓｂの各揺動板２５、５５との連結は、入口側の第１保持板１７ａと第１揺動板２５ａ、または、前記第２揺動板５５ａとを単数の連結ボルト２９で枢動可能に連結し、出口側の第２保持板１７ｂと第２揺動板２５ｂまたは第２揺動板５５ｂとを複数の連結ボルト２９でそれぞれ連結し、前記第１、２揺動機構Ｓａ、Ｓｂによる水平方向の往復動と上下動からなる揺動運動を連続させることにより、養殖貝Ｈを選別台１０の入口側に落下させて振動させながら出口方向に移動させ、それぞれ第１、２篩板１３、１５に設けた孔１４、１６から養殖貝Ｈの大きさにより選別して排出させることを特徴とする。また、前記選別台１０は、棚枠部１１の各段に中型以下の貝を落下させる多数の孔１４を有した第１篩板１３と、小型の貝を落下させる多数の孔１６を有した第２篩板１５とを上下二段に位置し、前記棚枠部１１の上方に設けた枠板１２に養殖貝Ｈを載置するホッパー３１を取付けてなることを特徴とする。
【００１１】
したがって、前記選別装置１ａ、１ｂは、第１駆動源Ｔａと第１揺動機構Ｓａまたは第２駆動源Ｔｂと第２揺動機構Ｓａを基枠２の上方に設けた支持枠部５に位置したことにより、選別作業をする際に養殖貝Ｈの汚れを取るために噴射される海水に濡れることによる塩害で錆びや回転不良などの故障を防止することができる。また、選別台１０は、第１揺動機構Ｓａまたは第２揺動機構Ｓｂと着脱可能に連結したことからメンテナンスを容易に行うことができ、且つ、第１揺動機構Ｓａまたは第２揺動機構Ｓｂと選別台１０との連結を、片側を一点支持の枢動可能に連結したことにより、選別台１０の揺動をスムースに行うことができる。さらに、選別台１０全体を第１揺動機構Ｓａまたは第２揺動機構Ｓｂに吊下げてあるため選別台１０を水平方向の往復動と上下動からなる揺動運動をスムースにすることができ、また、選別台１０を移動する養殖貝Ｈもスムースに歩進移動をするため、貝が孔に詰まるおそれがなく選別効率を高めることができる。
【００１２】
請求項９の発明は、基枠２の上方に設けた支持枠部５の中央に位置したモータ６と、該モータの駆動軸７に軸着した一対の駆動輪８とからなる第１駆動源Ｔａと、前記支持枠部５の長手方向の両側に回転可能に軸支した一対の伝動軸２０の両端にそれぞれ軸着した作動円盤２２の軸心の偏心位置にそれぞれ取付けた偏心軸２３と、該偏心軸に揺動板２５をそれぞれ枢動可能に軸支してなる第１揺動機構Ｓａと、養殖貝Ｈを選別するための孔１４を多数設けた少なくとも１以上の篩板１３を上下方向の多段に位置して入口側から出口側に傾斜させてなる選別台１０とからなり、該選別台の長手方向左右両側にそれぞれ取付けた各保持板１７と、前記第１揺動機構Ｓａの揺動板２５とを着脱可能に連結して懸架し、前記第１駆動源Ｔａから伝動軸２０を介して伝達した回転力を第１揺動機構Ｓａで偏心運動に変換して選別台１０を水平方向の往復動と上下動からなる揺動運動を可能にして養殖貝を選別することを特徴とする。また、前記選別台１０に設けた各保持板１７と、前記第１揺動機構Ｓａに取付けた各揺動板２５との連結は、入口側の第１保持板１７ａと第１揺動板２５ａとを単数の連結ボルト２９で枢動可能に連結し、出口側の第２保持板１７ｂと第２揺動板２５ｂとは、複数の連結ボルト２９で連結してなることを特徴とする。
【００１３】
したがって、前記選別装置１ａは、第１駆動源Ｔａと第１揺動機構Ｓａを基枠２の上方に設けた支持枠部５に位置したことにより、選別作業をする際に養殖貝Ｈの汚れを取るために噴射される海水に濡れることによる塩害で錆びや回転不良などの故障を防止することができる。また、第１駆動源Ｔａを基枠２の上方に設けた支持枠部５の中央に設け、第１揺動機構Ｓａを支持枠部５の左右対称位置に取付けた伝動軸２０の両端に取付けたことにより、装置全体のバランスが良く故障を少なくすることができる。さらに、選別台１０を第１揺動機構Ｓａと着脱可能に連結したことからメンテナンスを容易に行うことができる。さらにはまた、選別台１０全体を第１揺動機構Ｓａに吊下げてあるため選別台１０を水平方向の往復動と上下動からなる揺動運動をスムースにすることができ、また、選別台１０を移動する養殖貝Ｈもスムースに歩進移動をするため、貝が孔に詰まるおそれがなく選別効率を高めることができる。
【００１４】
請求項１１の発明は、基枠２の上方に設けた支持枠部５の左右両側で並行に軸支した一対の伝動軸２０にそれぞれ連結した一対のモータ６ｂと駆動軸７ｂと減速機９ｂとからなる第２駆動源Ｔｂと、大径な偏心円盤５１の外周面に揺動板５５を回動可能に取付け、該偏心円盤の軸心方向で偏心位置に設けた軸止部５２に前記伝動軸２０の端部を軸着し、該伝動軸の片側に位置した偏心円盤５１ａの軸止部５２から伝動軸２０の一端を貫通させて突出軸５３を設けてなる第２揺動機構Ｓｂと、養殖貝Ｈを選別するための孔１４を多数設けた少なくとも１以上の篩板１３を上下方向に位置してなる選別台１０とからなり、前記第２揺動機構Ｓｂの偏心円盤５１に回動可能に軸支した揺動板５５と、選別台１０の長手方向左右両側に取付けた保持板１７とを連結して懸架し、前記第２駆動源Ｔｂの回転力を第２揺動機構Ｓｂで偏心運動に変化させて選別台１０を水平方向の往復動と上下動からなる揺動運動を可能にしてなることを特徴とする。また、前記選別台１０に設けた各保持板１７と、前記２揺動機構Ｓｂに取付けた揺動板５５との連結は、入口側の第１保持板１７ａと第２揺動板５５ａとを単数の連結ボルト２９で枢動可能に連結し、出口側の第２保持板１７ｂと第２揺動板５５ｂとは、複数の連結ボルト２９で連結してなることを特徴とする。
【００１５】
したがって、前記選別装置１ｂは、第２駆動源Ｔｂと第２揺動機構Ｓｂを基枠２の上方に設けた支持枠部５に位置したことにより、選別作業をする際に養殖貝Ｈの汚れを取るために噴射される海水による塩害で錆びや回転不良などの故障を防止することができる。また、第２駆動源Ｔｂを支持枠部５の左右両側に軸支した伝動軸２０の一端にそれぞれ取付けることにより、各モータの負荷を少なくすることができるので、装置の故障を防止することができる。第２揺動機構Ｓａの偏心円盤５１の外周面に揺動板５５を回転可能に取付けたことにより、選別台１０の揺動をスムースに行うことができる。また、選別台１０と第２揺動機構Ｓｂとを着脱可能に連結したことからメンテナンスを容易に行うことができる。さらに、第２揺動機構Ｓｂと選別台１０との連結を、片側を一点支持の枢動可能に連結し、選別台１０全体を揺動機構Ｓに吊下げてあるため選別台１０を水平方向の往復動と上下動からなる揺動運動をスムースにすることができ、また、選別台１０を移動する養殖貝Ｈもスムースに歩進移動をするため、貝が孔に詰まるおそれがなく選別効率を高めることができる。
【図面の簡単な説明】
【００１６】
【図１】本発明にかかる第１の実施の形態を示す選別装置の平面図である。
【図２】選別装置の正面図である。
【図３】選別装置の左側面図である。
【図４】選別装置の駆動源と選別台と第１揺動機構との関係を示す正面図である。
【図５】図４のＡ―Ａ線拡大断面図である。
【図６】駆動源と選別台と第１揺動機構との関係を示す拡大平面図である。
【図７】選別台の揺動状態を示す正面図である。
【図８】選別台を第１揺動機構に懸架した状態を示す要部拡大断面図である。
【図９】揺動機構によって揺動する養殖貝の移動状態を示す説明図で、イは偏心軸が最上部位置に回動した状態を示す説明図である。ロは偏心軸が作動円盤の軸心と並行な最前進位置の状態を示す説明図である。ハは偏心軸が最下部位置に降下した動作で、篩板上の養殖貝が浮いて最前進位置に留まった状態を示す説明図である。ニは偏心軸が最下部位置から作動円盤と平行な最後退位置に上昇し、養殖貝は移動した篩上の最前進位置のまま上昇する状態を示す説明図である。
【図１０】本発明にかかる第２の実施の形態を示す選別装置の平面図である。
【図１１】第２揺動機構に選別台を懸架した状態の要部拡大断面図である。
【図１２】第２揺動機構の偏心円盤に軸支した揺動板の偏心回転を示す要部拡大断面図である。
【発明を実施するための形態】
【００１７】
本発明に係る第１の実施の形態を図面に基づいて説明すると、図１は本発明にかかる選別装置の平面図、図２は選別装置の正面図、図３は選別装置の左側面図、図４は選別装置の駆動源と選別台と揺動機構との関係を示す正面図、図５は図４のＡ―Ａ線拡大断面図、図６は駆動源と選別台と揺動機構との関係を示す拡大平面図である。本発明に係る選別装置１ａは、長手方向を傾斜させて形成した金属材からなる基枠２の上方に支持枠部５を設け、該支持枠部の中央に第１駆動源Ｔａ、左右両側に第１揺動機構Ｓａを取付け、該第１揺動機構の下方に養殖貝Ｈを選別するための選別台１０を着脱可能に懸架して選別台１０を揺動可能に形成してある。
【００１８】
前記第１駆動源Ｔａは、図６に示すごとく、モータ６から減速機９またはインバータを介して駆動軸７の回転数を制御し、該駆動軸の先端に複数の駆動輪８ａ、８ｂを軸着して形成してある。前記駆動輪８ａ、８ｂは周知のスプロケットまたはプーリーまたは歯車などからなり、支持枠部５の左右両端で並行に位置した一対の伝動軸２０にそれぞれ軸着した作動輪２１、２１に伝動手段Ｕを介して伝動させてある。
【００１９】
前記作動輪２１は、伝動軸２０に軸着したスプロケットまたはプーリーまたは歯車などと同様に形成し、伝動手段Ｕは、周知のローラーチェーンまたはベルト或いは歯車などにより伝動させて伝動軸２０を回動させてある。
【００２０】
前記第１揺動機構Ｓａは、図２、４〜８に示すごとく、基枠２の上部に設けた支持枠部５の両端に軸受２７を介して回転可能に軸支した伝動軸２０の両端に、大径な作動円盤２２を同一軸心上に軸着し、該作動円盤の軸心と偏心位置にそれぞれ偏心軸２３を設けてある。
【００２１】
前記偏心軸２３は、それぞれ揺動板２５の上方中央を枢動可能に軸支し、該揺動板の下方と前記選別台１０の保持板１７の上方とを連結し、選別台１０を第１揺動機構Ｓａに懸架して揺動可能に取付け、選別台１０を水平方向の往復動と上下動からなる揺動運動をさせることにより、例えば、選別台１０の上方に取付けたホッパー３１に収容した養殖貝Ｈを揺動させながら移動させて選別台１０の篩板１３、１５上の入口側に落下させることができる。
【００２２】
前記第１揺動機構Ｓａと選別台１０との連結は、図５、７、８に示すごとく、ボルト、ナットからなる連結ボルト２９を使用し、選別台１０の入口側に取付けた第１保持板１７ａと第１揺動板２５ａとを単数の連結ボルト２９で枢動可能に連結し、出口側に取付けた第２保持板１７ｂと第２揺動板２５ｂとは、複数の連結ボルト２９でそれぞれ連結し、前記選別台１０の一方（入口側または出口側）を枢動可能に連結したことにより、第１駆動源Ｔａまたは伝動手段Ｕなどの連結部分が摩耗等によってズレた場合でも、ズレを吸収することができるので、選別台１０をいつでもスムースに揺動させることができる。前記保持板１７と揺動板２５との連結は、連結ボルト２９だけでなく溶着による固定でもよいことは勿論である。
【００２３】
前記選別台１０は、図１〜６に示すごとく、長手方向の両端で並行に位置させた一対の棚枠部１１の内側に篩板を挿通する溝部１１ａ、１１ｂを上下方向に１から３段、好ましくは、２段に形成し、上側溝部１１ａに中型以下の養殖貝Ｈが落下する内径を有する多数の孔１４を有した第１篩板１３を挿通し、下方の溝部１１ｂに小型の養殖貝Ｈが落下する内径を有する多数の孔１６を有した第２篩板１５を挿通し、前記棚枠部１１の上方に設けた枠板１２上に多数の養殖貝Ｈを収納するホッパー３１の支持脚部３２を取付け、前記棚枠部１１の外壁面長手方向両側の四角にそれぞれ保持板１７を取付けてある。したがって、前記ホッパー３１は、選別台１０と共に揺動可能に取付けてある。
【００２４】
前記選別台１０の上方に取付けたホッパー３１は、開口部を選別台１０の入口付近に設けた入口ホッパー３５の開口部側に位置し、後方を開口部より高い位置に傾斜させて位置し、ホッパーの側面を支持脚部３２でそれぞれ支持固定してある。このホッパー３１は、ホッパーの傾斜角度を可変可能に形成し養殖貝Ｈの落下流量を調節する制御板（図示せず）を枢動可能に取付けてもよい。
【００２５】
前記選別台１０は、図２、３、５に示すごとく、入口側の端面に前記第１、２篩板１３、１５の出し入れと、該篩板が揺動したときに移動するのを防止するためのストッパーを兼ねた点検窓部１８を開閉可能に取付け、前記選別台１０の入口側下面および出口側下面と各段の篩板１３、１５の出口側に、養殖貝Ｈをスムースに排出するためのガイドシューター３７ａ、３７ｂ、３７ｃをそれぞれ取付けてある。
【００２６】
選別台１０の入口ホッパー３５内に落下した養殖貝Ｈは、図２、９に示すごとく、選別台１０が入口方向から出口方向に傾斜していること、および第１揺動機構Ｓａにより選別台１０を水平方向の往復動と上下動からなる揺動運動をさせることにより、篩板１３、１５上の養殖貝Ｈが篩板に押付けられて水平方向に移動した位置で留まり、次いで篩板が後退し、さらに篩板が押し上げられる動作を繰返しながら出口方向に移動し、養殖貝Ｈは第１、２篩板１３、１５に設けた大きさに合致した孔１４、１６からそれぞれ落下することにより篩い分けられて排出可能に形成してある。
【００２７】
前記選別台１０に取付けた各ガイドシューター３７は、選別された養殖貝Ｈが所定の落下地点に用意した収容容器４０に落ちるようにガイドし、落下地点にそれぞれ配置した収容容器４０内に前記養殖貝Ｈが傷付くことなく効率よく回収することができる。
【００２８】
また、選別装置１の選別台１０上には、養殖貝Ｈの洗浄と移動を容易にするためポンプにより揚水した海水を選別台上に噴射するための洗浄装置（図示せず）を取付けてもよい。さらには、選別装置１に送られる養殖貝Ｈは、選別台１０のホッパー３１に載置するだけではなく、ベルトコンベアにより、直接入口ホッパー３５に搬送させて選別作業をするようにしてもよい。
【００２９】
本発明の第２の実施の形態に係る選別装置１ｂの実施の形態を図面に基づいて説明すると、図１０は第２揺動機構を取付けた選別装置の平面図、図１１は第２揺動機構に選別台を懸架した状態の要部拡大断面図、図１２は第２揺動機構の偏心円盤に軸支した揺動板の偏心回転を示す要部拡大断面図である。選別装置１ｂは、長手方向を傾斜させて形成した基枠２の上方に設けた支持枠部５の左右両側で並行に軸支した一対の伝動軸２０にそれぞれ連結した一対のモータ６ｂと駆動軸７ｂと減速機９ｂとからなる第２駆動源Ｔｂと、前記一対の伝動軸２０の両端にそれぞれ取付けた第２揺動機構Ｓｂと、該第２揺動機構の下方に養殖貝Ｈを選別するための孔１４を多数設けた少なくとも１以上の篩板１３を上下方向に位置してなる選別台１０を揺動可能に懸架してある。  
【００３０】
前記第２駆動源Ｔｂは、モータ６ｂから減速機９ｂまたはインバータを介して駆動軸７ｂの回転数を制御し、該駆動軸の先端と前記支持枠部５の左右両端で並行に位置した一対の伝動軸２０の一端にそれぞれ軸着した第２揺動機構Ｓｂの突出軸５３とを接続器（図示せず）を介して連結してある。
【００３１】
前記選別台１０は第１の実施の形態に示す選別装置１ａと同じであることから、ここで説明すると内容が重複することから説明を省略する。
【００３２】
第２揺動機構Ｓｂは、図１０、１１に示すごとく、大径な偏心円盤５１の外周面に揺動板５５を回動可能に取付け、該偏心円盤５１の軸心方向と偏心位置に設けた軸止部５２に前記一対の伝動軸２０の端部をそれぞれ軸着し、該伝動軸の片側に位置した偏心円盤５１ａの軸止部５２から伝動軸２０の端部を貫通させて突出軸５３を設け、該突出部の一端と前記第２駆動源Ｔｂの先端とを連結し、前記揺動板５５の下方と選別台１０に取付けた保持板１７の上方とを連結して第２揺動機構Ｓｂに選別台１０を揺動可能に懸架してある。
【００３３】
前記一対の伝動軸２０の一端にそれぞれ第２駆動源Ｔｂを連結したことにより、該第２駆動源に加わる負荷が軽減されるため、回転力をスムースに第２揺動機構Ｓｂに伝達し、スムースに偏心運動に変換させて選別台１０を水平方向の往復動と上下動からなる揺動運動を可能にすることができる。
【００３４】
さらには、図１１に示すごとく、前記選別台１０に設けた各保持板１７と、前記２揺動機構Ｓｂに取付けた揺動板５５との連結は、入口側の第１保持板１７ａと第２揺動板５５ａとを単数の連結ボルト２９で枢動可能に連結し、出口側の第２保持板１７ｂと第２揺動板５５ｂとを複数の連結ボルト２９で連結したことにより、選別台１０の揺動をスムースに行うことができる。前記保持板１７と揺動板５５との連結は、連結ボルト２９だけでなく溶着による固定でもよいことは勿論である。
【００３５】
以下、第１揺動機構Ｓａを取付けた選別装置１ａの作用について説明すると、第１駆動源Ｔａを基枠２の上方に設けた支持枠部５の中央に位置し、前記支持枠部５の両側に取付けた第１揺動機構Ｓａの揺動板２５に養殖貝Ｈを選別する選別台１０を連結ボルト２９で着脱可能に懸架し、前記第１駆動源Ｔａおよび第１揺動機構Ｓａを基枠２の上方に位置したことにより、選別作業において選別台１０の養殖貝Ｈに噴射する海水に濡れることが少ないので塩害による腐食や錆びによる不具合を防止することができ、機器を長持ちさせることができる。  
【００３６】
また、第１揺動機構Ｓａを構成する揺動板２５に選別台１０の保持板１７を着脱可能に連結して懸架したことにより、第１揺動機構Ｓａと選別台１０との連結構造が簡単で部品数が少なくコストが安価で経済的であると共に、揺動運動をスムースに行うことができるので養殖貝Ｈの選別効率を向上させることができる。
【００３７】
前記第１揺動機構Ｓａの揺動板２５と、選別台１０の保持板１７との連結は、入口側の揺動板２５ａと保持板１７ａを一本の連結ボルト２９で枢動可能に連結し、出口側の揺動板２５ｂと保持板１７ｂを２本の連結ボルト２９で固定して懸架することにより、第１駆動源Ｔａまたは伝動手段Ｕなどの摩耗等によってズレが生じた場合でも、連結部分の一方を枢動可能に連結したことにより、ズレを吸収することができるので、選別台１０をいつでもスムースに揺動させることができる。前記連結ボルト２９による連結は、入口側を２本のボルトで固定し出口側を一本のボルトで枢動可能に連結してもよい。
【００３８】
さらには、第１揺動機構Ｓａと選別台１０とを連結ボルト２９で着脱可能に連結したことにより、選別台１０を簡単に脱着することができるので、選別台１０の掃除やメンテナンスを容易に行うことができるので選別装置１ａを長持ちさせることができる。
【００３９】
第２揺動機構Ｓｂを取付けた選別装置１ｂは、大径な偏心円盤５１の外周面に揺動板５５を回動可能に軸支し、該偏心円盤５１の軸心方向で偏心位置に設けた軸止部５２に前記一対の伝動軸２０の端部をそれぞれ軸着し、該伝動軸の片側に位置した偏心円盤５１ａの軸止部５２から伝動軸２０の端部を貫通させた突出軸５３の一端と、前記第２駆動源Ｔｂの駆動軸７ｂに取付けた減速機９ｂを介して連結し、前記揺動板５５の下方と、選別台１０に取付けた保持板１７の上方とを連結して第２揺動機構Ｓｂに選別台を１０揺動可能に懸架してある。
【００４０】
したがって、基枠２の上方に設けた支持枠部５の左右両側に軸支した伝動軸２０の一端にそれぞれ第２駆動源Ｔｂを取付けたことにより、モータ６ｂの負荷を少なくすることができるので、装置の故障を防止することができる。また、伝動軸２０の両端に第２揺動機構Ｓｂを取付け、偏心円盤５１に揺動板５５を回転可能に取付けたこと、さらに、第２揺動機構Ｓｂと選別台１０との連結を、片側を一点支持の枢動可能に連結したことにより、選別台１０の揺動をスムースに行うことができる。
【００４１】
また、選別台１０と第２揺動機構Ｓｂとを連結ボルト２９で着脱可能に連結したことからメンテナンスを容易に行うことができ、選別台１０の全体を第２揺動機構Ｓｂに吊下げてあるため、選別台１０を水平方向の往復動と上下動からなる揺動運動をスムースにすることができる。さらに、選別台１０を移動する養殖貝Ｈもスムースに歩進移動をするため、貝が孔に詰まるおそれがなく選別効率を高めることができる。
【００４２】
前記第２駆動源Ｔｂおよび第２揺動機構Ｓｂを基枠２の上方に位置したことにより、選別作業において選別台１０の養殖貝Ｈに噴射する海水で濡れることが少ないので塩害による錆びや腐食による不具合を防止することができる。
【００４３】
本発明による選別装置１ａ、１ｂによる選別作業工程は、海中から採取した出荷用の養殖貝Ｈをホッパー３１に載置、または入口ホッパー３５にベルトコンベアにより搬送する。次いで、第１，２駆動源Ｔａ、Ｔｂのモータ６を作動させて駆動軸７から伝動手段Ｕまたは直接伝動軸２０を回転させることにより、該伝動軸の両端に設けた第１揺動機構Ｓａまたは第２揺動機構 Ｓｂを介して偏心回転させることにより、選別台１０が水平方向の往復動と上下動からなる揺動運動をする。
【００４４】
揺動運動は、第１揺動機構Ｓａと第２揺動機構Ｓｂはほぼ同じであることから、第１揺動機構Ｓａの揺動運動に基づいて説明すると、前記第１揺動機構Ｓａによる選別台１０の揺動運動は、図９イに示すごとく、作動円盤２２の回転により偏心軸２３が最上部位置にくると、篩板１３上の養殖貝Ｈは矢印に示すごとく、最後退位置Ｙの地点から最上部位置Ｗの位置に押し上げられながら出口方向に前進する。
【００４５】
次いで、図９ロに示すごとく、偏心軸２３の回転により作動円盤２２の軸心と偏心軸２３とが並行な同一水平位置に移動すると、篩板１３と養殖貝Ｈは共に水平方向に前進しながら最上部位置から降下して最前進位置Ｘに移動する。
【００４６】
さらに、図９ハに示すごとく、偏心軸２３が回動して最前進位置Ｘから最下部位置Ｚに移動すると、篩板１３は降下しながら図９イの最上部位置Ｗと同じ位置の最下部位置Ｚに後退する。この篩板１３が降下する際、篩板１３が急激に降下するため、篩板上の養殖貝Ｈは一時的に宙に浮いてそのまま最前進位置Ｘに留まる。
【００４７】
さらにはまた、図９ニに示すごとく、偏心軸２３がさらに回転して作動円盤２２の軸心と並行な同一水平位置に移動すると、偏心軸２３は最下部位置Ｚから最後退位置Ｙに回動しながら後退する。さらに最前進位置Ｘに留まった養殖貝Ｈは、篩板１３が後退した位置の最前進位置Ｘで篩板１３とともに上昇して前記最上部位置Ｗに前進移動する（図９イ）。
【００４８】
上記したごとく、作動円盤２２と偏心軸２３の一回転により選別台１０が最後退位置Ｙから最前進位置Ｘに並行移動する往復運動と、最高部位置Ｗと最低部位置Ｚへの上下運動からなる揺動運動を繰返すことにより、養殖貝Ｈが最後退位置Ｙから最上部位置Ｗを経て最前進位置Ｘに移動し、篩板１３だけがまた最後退位置Ｙに移動する動作を繰返すことにより、選別台１０の傾斜と共に養殖貝Ｈが歩進運動をしながら前進移動し、第１、２篩板１３、１５の孔１４、１６から養殖貝Ｈが適宜選別されてそれぞれ落下して排出される。
【００４９】
選別台１０上を移動する大型貝は、第１篩板１３の孔１４から落下せずにそのまま出口側に到達して第１ガイドシューター３７ａから落下し、中型、小型の養殖貝Ｈは、それぞれ第１篩板１３上を移動しながら孔１４でふるい落とされて第２篩板１５に落下し、中型の養殖貝は、そのまま第２篩板１５上を出口まで移動して第２ガイドシューター３７ｂから収容容器４０に収容される。さらに小型の養殖貝Ｈは第２篩板１５の孔１６でさらにふるい落とされて小型貝用の第３ガイドシューター３７ｃから収容容器４０に収容される。
【００５０】
したがって、第１揺動機構Ｓａに懸架された選別台１０は、全体を均等に揺動運動させることができるので、養殖貝Ｈが揺動により跳ねたり踊ったりせず水平状態のまま移動させることができる。また、養殖貝Ｈは、揺動運動により篩板１３、１５の孔１４、１６に嵌ったりすることなくスムースに移動させることができるので効率的に選別作業を行うことができる。
【００５１】
万一、貝が孔に嵌った場合でも偏心運動の動作、図９のロからハに移動する水平方向に後退しながら降下する運動により養殖貝が孔から離脱させることができるので、養殖貝が孔に嵌ったままの状態になる現象を少なくすることができる。したがって、選別孔に貝が詰まって小さい貝が選別されずに通過するのを防止することができ、また、篩板上を移動する養殖貝が重なり合って詰まることなくスムースに移動して選別作業を効率よく行うことができる。
【００５２】
さらには、選別台１０が水平方向の往復動と上下動をするため、養殖貝Ｈが選別台１０上を揺動しながら移動する際、養殖貝が跳ねたり踊ったりせず水平状態のまま移動させることができるので、移動する養殖貝と養殖貝がぶつかって割れたりひびが入って破損するのを防止することができる。
【符号の説明】
【００５３】
１ａ    選別装置
１ｂ    選別装置
２      基枠
５      支持枠部
６      モータ
７      駆動軸
８      駆動輪
９      減速機
１０    選別台
１１    棚枠部
１２    枠板
１３    第１篩板
１４    孔
１５    第２篩板
１６    孔
１７    保持板
１８    点検窓部
２０    伝動軸
２１    作動輪
２２    作動円盤
２３    偏心軸
２５    揺動板
２７    軸受
２９    連結ボルト
３１    ホッパー
３２    支持脚部
３５    入口ホッパー
３７    ガイドシューター
４０    収容容器
５１    偏心円盤
５２    軸支部
５３    突出軸
５５    揺動板
Ｈ      養殖貝
Ｓａ    第１揺動機構
Ｓｂ    第２揺動機構
Ｔａ    第１駆動源
Ｔｂ    第２駆動源
Ｕ      伝動手段
【図１】
2018126077.tif 000003
【図２】
2018126077.tif 000004
【図３】
2018126077.tif 000005
【図４】
2018126077.tif 000006
【図５】
2018126077.tif 000007
【図６】
2018126077.tif 000008
【図７】
2018126077.tif 000009
【図８】
2018126077.tif 000010
【図９】
2018126077.tif 000011
【図１０】
2018126077.tif 000012
【図１１】
2018126077.tif 000013
【図１２】
2018126077.tif 000014